(57)【要約】【課題】ヘアアイロンやパーマネント用の電熱ロッド等の頭髪加熱器具を使用するときに、使用者の首全体において頭髪加熱器具が接触することを防止することができる頭髪加熱器具用保護具を提供する。【解決手段】上記課題を解決する頭髪加熱器具用保護具１は、ヘアアイロンやパーマネント用の電熱ロッド等の頭髪加熱器具の使用者Ｕが頭髪加熱器具の皮膚への接触を防ぐために装着する頭髪加熱器具用保護具１であって、使用者Ｕの首の周囲を覆う首保護部３を備えたものである。【選択図】図１
2013180102.tif 000002
【特許請求の範囲】
【請求項１】
頭髪加熱器具の使用者が該頭髪加熱器具の皮膚への接触を防ぐために装着する頭髪加熱器具用保護具であって、
使用者の首の周囲を覆う首保護部を備えたものであることを特徴とする頭髪加熱器具用保護具。
【請求項２】
前記首保護部は、被接合部と接合部を備えたものであり、使用者の首へ取付けられた状態では該被接合部と該接合部を接合することで環状に形成されたものであり、該被接合部と該接合部の接合を解除することで使用者の首からの取外しが可能になるものであることを特徴とする請求項１に記載の頭髪加熱器具用保護具。
【請求項３】
使用者の耳を覆う帯状に形成された耳保護部を備えたことを特徴とする請求項１または２に記載の頭髪加熱器具用保護具。
【請求項４】
前記耳保護部は、一端側がそれぞれ前記首保護部に連なった一対のものであり、他端側が互いに連結可能なものであることを特徴とする請求項３に記載の頭髪加熱器具用保護具。
【請求項５】
前記耳保護部は、前記首保護部へ着脱自在に取付けられる着脱部を備えたものであることを特徴とする請求項３に記載の頭髪加熱器具用保護具。
【発明の詳細な説明】
【技術分野】
【０００１】
本発明は、ヘアアイロン等の頭髪加熱器具を使用するときに、頭髪加熱器具が使用者の皮膚へ接触することを防止する頭髪加熱器具用保護具に関する。
【背景技術】
【０００２】
従来、頭髪を整えたり、頭髪にウェーブ等の変化をつけたりするためにヘアアイロンが用いられている。このヘアアイロンには、頭髪にウェーブをつけるカールアイロンや、縮毛や癖毛を真っ直ぐに伸ばすストレートアイロン等があり、いずれのヘアアイロンも、使用者が持つための把持部と、頭髪を挟んだり巻いたりするアイロン部を備えている。また、美容室等で、電熱ロッドを用いて、頭髪にパーマネントをかけることも行われている。ヘアアイロンのアイロン部や電熱ロッドは、使用時にかなり高温になることがあり、これらのアイロン部や電熱ロッドが使用者の皮膚に接触すると火傷をしてしまう恐れがある。このような火傷を防止するため、ヘアアイロンを使用する場合に、ヘアアイロンが使用者の顔面や耳に接触しないようにするヘアアイロン用ヘアーバンドが提案されている（例えば、特許文献１）。
【０００３】
特許文献１に記載されたヘアアイロン用ヘアーバンドは、耳あてと額あてを備え、ヘアアイロンの使用時において使用者の頭髪の生えぎわを覆うように構成されたものである。ヘアーアイロンの使用者がこのヘアアイロン用ヘアーバンドを装着することで、ヘアアイロンが使用者の耳や額に接触することがなくなり、耳や額の火傷を防ぐことができる。
【先行技術文献】
【特許文献】
【０００４】
【特許文献１】実開昭５２−６６５９８号公報
【発明の概要】
【発明が解決しようとする課題】
【０００５】
しかしながら、特許文献１のヘアアイロン用ヘアーバンドは、使用者の耳や額を保護することはできるものの、使用者の耳や額以外の部位の火傷を防ぐことはできない。このため、使用者が後頭部側で頭髪にヘアアイロンをかけるときに使用者の首の後側にアイロン部が接触して火傷をする恐れがある。また、特に使用者の頭髪が長い場合は、頭髪のヘアアイロンをかける部位が体の前側にくるように頭髪の先端側を手で持って、首の横側や前側近辺でヘアアイロンをかける場合がある。この場合には、首の前側や横側にもアイロン部が接触して火傷をする恐れがある。
【０００６】
また、美容室等で、電熱ロッドを用いて頭髪にパーマネントをかける場合も、後頭部側の頭髪に巻き付けた電熱ロッドが使用者の首の後側に接触する恐れがある。さらに、側頭部側の頭髪に取付けた電熱ロッドが使用者の首の横側や前側に接触してしまう場合もある。
【０００７】
本発明は上記事情に鑑み、ヘアアイロン等の頭髪加熱器具を使用するときに、使用者の首全体において頭髪加熱器具が接触することを防止することができる頭髪加熱器具用保護具を提供することを目的とする。
【課題を解決するための手段】
【０００８】
上記目的を解決する本発明の頭髪加熱器具用保護具は、頭髪加熱器具の使用者が該頭髪加熱器具の皮膚への接触を防ぐために装着する頭髪加熱器具用保護具であって、
使用者の首の周囲を覆う首保護部を備えたものであることを特徴とする。
【０００９】
本発明の頭髪加熱器具用保護具によれば、使用者の首の周囲を覆う首保護部によって使用者の首全体において頭髪加熱器具が接触することを防止して、使用者の首の火傷を防ぐことができる。
【００１０】
ここにいう頭髪加熱器具とは、頭髪を加熱することで頭髪を整えたりウェーブ等の変化をつけたりする器具をいい、ヘアアイロンや、パーマネント用の電熱ロッド等も含む。
【００１１】
また、ここにいう使用者とは、自分の頭髪に自ら頭髪加熱用器具を用いる者の他、美容室等において他人によって頭髪に頭髪加熱用器具を用いられる者も含む。
【００１２】
本発明の頭髪加熱器具用保護具において、前記首保護部は、被接合部と接合部を備えたものであり、使用者の首へ取付けられた状態では該被接合部と該接合部を接合することで環状に形成されたものであり、該被接合部と該接合部の接合を解除することで使用者の首からの取外しが可能になるものであることが好ましい。
【００１３】
上記構成とすることで、使用者の首への首保護部の着脱が容易になる。さらに、被接合部と接合部の接合箇所を調整することで、使用者の首の太さに適合させることも容易になる。
【００１４】
また、本発明の頭髪加熱器具用保護具において、使用者の耳を覆う帯状に形成された耳保護部を備えたものであることが望ましい。
【００１５】
耳保護部によって、頭髪加熱器具の耳への接触を防止することができる。
【００１６】
さらに、本発明の頭髪加熱器具用保護具において、前記耳保護部は、一端側がそれぞれ前記首保護部に連なった一対のものであり、他端側が互いに連結可能なもの
であってもよい。
【００１７】
一対の耳保護の他端側どうしを、例えば、使用者の頭頂で連結することで耳保護部の取付けが容易になる。
【００１８】
また、本発明の頭髪加熱器具用保護具において、前記耳保護部は、前記首保護部へ着脱自在に取付けられる着脱部を備えたもの
であってもよい。
【００１９】
上記構成とすることで、首の周囲の頭髪だけに頭髪加熱器具を使用する場合などには、耳保護部を取外して首保護部のみで使用することもできる。
【発明の効果】
【００２０】
本発明の頭髪加熱器具用保護具によれば、頭髪加熱器具が使用者の首へ接触することを防止することができる。
【図面の簡単な説明】
【００２１】
【図１】本発明の一実施形態である頭髪加熱器具用保護具を使用者が装着した状態を示す正面図である。
【図２】図１に示す使用者Ｕの左斜め後方からみた図である。
【図３】図１に示す頭髪加熱器具用保護具を使用者に装着する前の状態を示す図である。
【図４】他の実施形態の頭髪加熱器具用保護具を使用者に装着する前の状態を示す図である。
【発明を実施するための形態】
【００２２】
以下、図面を参照して本発明の実施の形態を説明する。
【００２３】
図１は、本発明の一実施形態である頭髪加熱器具用保護具１を使用者Ｕが装着した状態を示す正面図である。また、図２は、図１に示す使用者Ｕの左斜め後方からみた図である。
【００２４】
初めに図１および図２を用いて、頭髪加熱器具用保護具１がヘアアイロン等の頭髪加熱器具の使用者Ｕに装着された状態を簡単に説明する。図１および図２に示すように、頭髪加熱器具用保護具１は、首保護部３と、この首保護部３に一体に形成された耳保護部５を備えている。使用者Ｕの首には首保護部３が取付けられており、この首保護部３によって使用者Ｕの首の周囲が覆われている。また、一対の耳保護部５が使用者Ｕの顔の周囲を囲むように巻かれ、使用者Ｕの頭頂で一対の耳保護部５の上端部どうしが連結されることで、一対の耳保護部５で使用者Ｕの両耳それぞれが覆われている。
【００２５】
図３を用いて、頭髪加熱器具用保護具１の構成を詳細に説明する。
【００２６】
図３は、図１に示す頭髪加熱器具用保護具を使用者に装着する前の状態を示す図である。図３において、頭髪加熱器具用保護具１の紙面手前側の面が、頭髪加熱器具用保護具１を使用者Ｕが装着した状態において外側になる面である。また、図３において、頭髪加熱器具用保護具１の紙面奥側の面が、頭髪加熱器具用保護具１を使用者Ｕが装着した状態において使用者Ｕの首や耳に接触する面になる。以下、図３における頭髪加熱器具用保護具１の紙面手前側を外側と称し、図３における頭髪加熱器具用保護具１の紙面奥側を内側と称することがある。また、図３における左右方向を幅方向と称することがあり、図３における上下方向を高さ方向と称することがある。
【００２７】
図３に示す頭髪加熱器具用保護具１は、首保護部３と、この首保護部３に一体に形成された左右一対の耳保護部５を備えている。首保護部３と耳保護部５は、熱伝導率が低く、難燃性の柔らかい素材によって形成することが好ましい。例えば、吸水性の良い、タオルにも使われるパイル生地が考えられる。また、首保護部３と耳保護部５は、頭髪加熱器具用保護具１を装着した場合の使用者Ｕの蒸れ対策として、通気性の良い素材、例えばメッシュ状の素材で形成してもよい。なお、首保護部３と耳保護部５に小孔を複数形成することで通気性を良くすることもできる。この小孔は、首保護部３と耳保護部５の全体に形成してもよいし、首保護部３や耳保護部５の一部に形成してもよい。また、使用者Ｕの耳を覆う後述する覆い部５１に小孔を形成すれば、頭髪加熱器具用保護具１を装着した状態で使用者Ｕの聴覚を妨げることがない。さらに、首保護部３と耳保護部５は、頭髪加熱器具用保護具１を使用者Ｕに装着し易いように、また、使用者Ｕが頭髪加熱器具用保護具１を装着した状態で窮屈に感じないように、伸縮性のある素材で形成してもよい。
【００２８】
首保護部３は、幅方向に長い略長方形状に形成された首保護部本体３１と、この首保護部本体３１の上側に形成された上側部３２を備えている。
【００２９】
図３に示す首保護部本体３１は、高さ方向の寸法が、人の平均的な首の長さ（例えば７．５〜８．５ｃｍ）よりもやや長め（例えば１０ｃｍ程度）に設定されている。また、首保護部本体３１の幅方向の寸法は、例えば、女性用の頭髪加熱器具用１の場合は、女性の平均的な首の太さ（例えば３０〜３２ｃｍ）より十分長め（例えば４０ｃｍ程度）に設定される。男性用の頭髪加熱器具用保護具１の場合は、首保護部本体３１の幅方向の寸法は、男性の平均的な首の太さ（例えば４０ｃｍ）より十分長め（例えば５０ｃｍ程度）に設定するとよい。図３に示す首保護部本体３１は、幅方向における右側端部に被接合部３１１が形成され、幅方向における左側端部に接合部３１２が形成されている。被接合部３１１の内側の面には、複数（図３では４つ）のホック係止金具３１１ａが高さ方向に一列に取付けられている。また、接合部３１２の外側の面には、複数（図３では４つ）のホック３１２ａが高さ方向に一列に取付けられ、このホック３１２ａの列が幅方向に所定間隔をあけて複数（図３では３列）形成されている。
【００３０】
図３に示すように、上側部３２は、その上側部３２の幅方向中央から所定間隔をあけて上方に延びた左右一対の接続部３２１を備え、この接続部３２１の上端は耳保護部５に連なっている。また、左右一対の接続部３２１の間に中央縁３２３が形成され、左右一対の接続部３２１の幅方向外側にそれぞれ円弧状縁３２２が形成されている。円弧状縁３２２は、首保護部本体３１の左右両端部における上端から接続部３２１にかけて円弧状に形成されている。
【００３１】
図３に示す左右一対の耳保護部５は帯状に形成され、一端側がそれぞれ首保護部３の接続部３２１に連なっている。この耳保護部５の一端側部分には、幅広に形成された覆い部５１がそれぞれ形成されている。この覆い部５１からは高さ方向に延びた架渡し部５２がそれぞれ形成され、この架渡し部５２の他端側には連結部５２１がそれぞれ形成されている。この架渡し部５２の幅は、覆い部５１の幅よりも細く形成され、さらに、覆い部５１側から他端側にかけて幅が徐々に細くなるように形成されている。なお、架渡し部５２は、覆い部５１の幅よりも細い幅で、長手方向に同一の幅になるように形成してもよい。また、図３に示す右側の連結部５２１の内側にはホック係止金具５２ａが取付けられ、左側の連結部５２１の外側には長手方向に所定間隔をあけて複数（図３では３つ）のホック５２ｂが取付けられている。
【００３２】
続いて、図１および図２を参照しながら、図３に示す頭髪加熱器具用保護具１の使用者Ｕへの装着の仕方について説明する。
【００３３】
初めに、頭髪加熱器具用保護具１の首保護部３を持って、この首保護部３における幅方向中央部分の内側が使用者Ｕの首の後側に当たるように頭髪加熱器具用保護具１を配置する。この際、首と首保護部３との間に頭髪が入らないように、首保護部３の上端を使用者Ｕの首と頭髪との間に潜り込ませ、図２に示すように、中央縁３２３が使用者Ｕの襟足を囲むように首保護部３を配置するとよい。なお、頭髪をゴム等でまとめた状態で行えば、首保護部３を配置し易くすることができる。次いで、首保護部３の被接合部３１１と接合部３１２を首の前側で重ね、被接合部３１１と接合部３１２を接合する。被接合部３１１と接合部３１２を接合する際には、使用者Ｕの首の太さに合うホック３１２ａの列を選択して、この選択したホック３１２ａの列にそれぞれホック係止金具３１１ａを係止させる。図１では、図３に示すホック３１２ａの３列のうち、真中のホック３１２ａの列とホック係止金具３１１ａを係止させている。ホック３１２ａとホック係止金具３１１ａを係止することで、図１および図２に示すように、首保護部３は環状に形成されて、この首保護部３によって使用者Ｕの首の周囲が覆われる。また、図１に示すように、首保護部３の円弧状縁３２２が使用者Ｕのあご周りにぴったりと着くように首保護部３を使用者Ｕの首に取付けることが好ましい。このように首保護部３を使用者Ｕの首に取付けることで、使用者Ｕの首におけるあご周りも首保護部３で覆うことができる。なお、使用者Ｕの首が短い場合は、一番下のホック３１２ａとホック係止金具３１１ａを係止させず、接合させた被接合部３１１と接合部３１２の下端部分どうしが少し開くようにして調整することができる。
【００３４】
次いで、一対の耳保護部５の架渡し部５２をそれぞれ持って、覆い部５１の内側が使用者Ｕのそれぞれの耳の位置に合うように配置して、図１および図２に示すように覆い部５１で使用者Ｕの耳を覆う。次に、架渡し部５２の連結部５２１どうしを使用者Ｕの頭頂で連結させる。このように耳保護部５を使用者Ｕに取付けた状態では、覆い部５１が首保護部３から使用者Ｕの耳に向かって延び、使用者Ｕの一方の耳を覆った覆い部５１と他方の耳を覆った覆い部５１が、使用者Ｕの頭頂を経て一対の架渡し部５２でつながる。なお、この連結部５２１どうしを連結させる際には、連結部５２１の複数のホック５２ｂのうち、使用者Ｕの頭の大きさに合うホック５２ｂを選択し、この選択したホック５２ｂとホック係止金具５２ａを係止させる。図１では、図３に示す３つのホック５２ｂのうち、真中のホック５２ｂとホック係止金具５２ａを係止させている。なお、図２に示すように、使用者Ｕの首から耳にかけての部分も、首保護部３の接続部３２１によって覆われる。
【００３５】
本実施形態の頭髪加熱器具用保護具１によれば、使用者Ｕの首の周囲が首保護部３で覆われるため、使用者Ｕの首全体において、ヘアアイロンや電熱ロッドが接触することを防止することができる。また、使用者Ｕの耳も耳保護部５によって覆われるため、ヘアアイロンや電熱ロッドが使用者Ｕの耳に接触することも防止することができる。さらに、使用者Ｕの首から耳にかけての部分も、首保護部３の接続部３２１によって覆われるため、この部分へのヘアアイロンや電熱ロッドの接触も防止することができる。また、使用者Ｕの首や耳の近くで頭髪にヘアアイロンをかけたり電熱ロッドを取付けたりする場合に、ヘアアイロンや電熱ロッドから発生する熱による使用者Ｕの不快感も低減することができる。特に、比較的長い時間、電熱ロッドを頭髪に取付けてパーマネントをかける場合により有効である。さらに、耳保護部５の架渡し部５２の幅が、覆い部５１の幅よりも細く形成されているため、頭髪における架渡し部５２で隠れる部分を少なくできて、使用者Ｕの頭部付近の頭髪にヘアアイロンがかけやすくなり、電熱ロッドも取付けやすくなる。
【００３６】
なお、使用者Ｕが頭髪加熱器具用保護具１を取外す場合は、耳保護部５における連結部５２のホック５２ｂとホック係止金具５２ａの係止を解除したのち、首保護部３における被接合部３１１のホック係止金具３１１ａと接合部３１２のホック３１２ａの係止を解除すれば良い。また、使用者Ｕが、美容室等で電熱ロッドを用いてパーマネントをかける場合には、美容室の店員等の他人が、頭髪加熱器具用保護具１の取付けや取外しをしてもよい。
【００３７】
続いて、他の実施形態の頭髪加熱器具用保護具１’について説明する。以下の説明では、これまで説明したきた先の実施形態の頭髪加熱器具用保護具１との相違点を中心に説明し、重複する説明は省略する。また、これまで説明した構成要素と同じ構成要素には、これまで用いた符号と同じ符号を付して説明する。
【００３８】
図４は、他の実施形態の頭髪加熱器具用保護具を使用者に取付ける前の状態を示す図である。先の実施形態では、首保護部３と一対の耳保護部５を一体に形成し、耳保護部５の連結部５２どうしを連結する構成としたが、この実施形態では、首保護部３と耳保護部５を別体に形成している点が異なる。また、先の実施形態では、首保護部３の被接合部３１１と接合部３１２の接続や、耳保護部５の連結部５２どうしの連結に、ホック３１２ａ、５２ｂと、ホック係止金具３１１ａ、５２ａを用いたが、この実施形態では、面ファスナを用いている。
【００３９】
図４において、頭髪加熱器具用保護具１’を使用者Ｕに取付けた状態で、頭髪加熱器具用保護具１’の紙面手前側の面が外側になり、頭髪加熱器具用保護具１’の紙面奥側の面が使用者Ｕの首や耳に接触する内側になる。また、図４における左右方向を幅方向と称することがあり、図４における上下方向を高さ方向と称することがある。
【００４０】
図４に示すように、頭髪加熱器具用保護具１’は、別体に形成された、首保護部３と耳保護部５を備えている。首保護部３は、被接合部３１１の内側に長方形状の雄面ファスナ３１１ｂが取付けられ、接合部３１２の外側に長方形状の雌面ファスナ３１２ｂが取付けられている。雌面ファスナ３１２ｂは、雄面ファスナ３１１ｂよりも幅方向が長く形成され、雄面ファスナ３１１ｂと雌面ファスナ３１２ｂを密着させる位置を雌面ファスナ３１２ｂの幅方向の範囲で調整することができる。また、首保護部３には、上側部３２における一対の接続部３２１の外側に長方形状の雄面ファスナ３２１ｂがそれぞれ取付けられている。
【００４１】
耳保護部５は、一本の帯状に形成され、両端部にそれぞれ着脱部５３が形成されている。この着脱部５３の内側に長方形状の雌面ファスナ５３ｂがそれぞれ取付けられている。雌面ファスナ５３ｂは、雄面ファスナ３２１ｂよりも高さ方向に長く形成され、雄面ファスナ３２１ｂと雌面ファスナ５３ｂの密着させる位置を雌面ファスナ５３ｂの高さ方向の範囲で調整することができる。また、それぞれの着脱部５３には幅広に形成された覆い部５１が連なり、それぞれの覆い部５１は架渡し部５２によってつながっている。架渡し部５２は、覆い部５１の幅よりも細い略同一の幅で形成されている。
【００４２】
図４に示す頭髪加熱器具用保護具１’の使用者Ｕへの装着の仕方について説明する。初めに、使用者Ｕは、頭髪加熱器具用保護具１’の首保護部３を首に取付け、首の周囲を首保護部３で覆う。この首保護部３を取付ける際には、使用者Ｕの首の太さに合せて、被接合部３１１の雄面ファスナ３１１ｂと接合部３１２の雌面ファスナ３１２ｂを密着させる位置を調整して首保護部３を環状に形成する。次いで、耳保護部５における架渡し部５２の内側を使用者Ｕの頭頂に載せて、覆い部５１が使用者Ｕの耳を覆うように耳保護部５を配置する。次に、耳保護部５における着脱部５３の内側に取付けられた雌面ファスナ５３ｂを、首保護部３における接続部３２１の外側に取付けられた雄面ファスナ３２１ｂに密着させる。この雌面ファスナ５３ｂを雄面ファスナ３２１ｂに密着させる際には、使用者Ｕの顔の大きさに合せて、雌面ファスナ５３ｂと雄面ファスナ３２１ｂの密着させる位置を調整する。
【００４３】
この実施形態の頭髪加熱器具用保護具１’でも、先の実施形態の頭髪加熱器具用保護具１と同様の効果が得られる。また、首保護部３と耳保護部５を別体としているため、別々に使用者Ｕに取付けることができて頭髪加熱器具用保護具１’の装着が容易になる。さらに、頭髪が長い使用者Ｕが頭髪の先端だけにヘアアイロンをかける場合など、耳保護部５を取付ける必要がないときは、首保護部３のみで使用することもできる。またさらに、首保護部３の被接合部３１１と接合部３１２の接続、および耳保護部５の首保護部３への着脱に面ファスナを用いているので、使用者Ｕの首の太さや顔の大きさ等に応じた調整が容易になる。
【００４４】
本発明は上述の実施形態に限られることなく特許請求の範囲に記載した範囲で種々の変形を行うことが出来る。たとえば、上記実施形態においては、頭髪加熱器具用保護具１、１’は、首保護部３と耳保護部５を備えているが、使用者Ｕの首の火傷防止に重点を置き、耳保護部５を省略してもよい。また、上記実施形態においては、耳保護部５は、一対の覆い部５１を架渡し部５２でつなげる構成としたが、覆い部５１を耳に掛ける構成とし、架渡し部５２を省略してもよい。架渡し部５２を省略すれば、架渡し部５２で髪型が乱れることもなくなり、耳保護部５の耳への着脱も容易になる。さらに、頭髪の、耳より上の部分にヘアアイロンをかけたり電熱ロッドをつけたりすることも容易になる。また、上記実施形態においては、首保護部３の被接合部３１１と接合部３１２を使用者Ｕの首の前側で接合させる構成としたが、使用者Ｕの首の横側や後側で首保護部３の被接合部３１１と接合部３１２を接合させる構成としてもよい。さらに、首保護部３を伸縮性のある素材で形成するとともに環状に形成し、使用者Ｕが首保護部３を頭からかぶって首に取付ける構成としてもよい。なお、以上説明した各実施形態の記載それぞれにのみ含まれている構成要件であっても、その構成要件を他の実施形態に適用してもよい。
【００４５】
以上説明したように、本実施形態の頭髪加熱器具用保護具は、頭髪加熱器具の使用者が該頭髪加熱器具の皮膚への接触を防ぐために装着する頭髪加熱器具用保護具であって、前記使用者の首に取付けられることで該使用者の首を覆う首保護部と、前記使用者の首に前記首保護部が取付けられた状態で、該首保護部から該使用者の耳に向かって延び、該使用者の耳を覆う耳保護部とを備えている。
【００４６】
前記耳保護部は、前記使用者の耳を覆った状態では、該使用者の一方の耳を覆った覆い部から該使用者の頭頂を経て該使用者の他方の耳を覆った覆い部につながる架渡し部を有し、前記架渡し部は、前記覆い部よりも細いものである。
【符号の説明】
【００４７】
１，１’  頭髪加熱器具用保護具
３  首保護部
３１１  接合部
３１２  被接合部
５  耳保護部
５２  連結部
５３  着脱部
【図１】
2013180102.tif 000003
【図２】
2013180102.tif 000004
【図３】
2013180102.tif 000005
【図４】
2013180102.tif 000006